(57)【特許請求の範囲】
【請求項１】
球状の商品を排出する商品排出装置であって、
ケース本体と、
該ケース本体の内部に設けられ商品を複数収納可能な収納庫と、
該収納庫に隣接して配されるとともに、前記収納庫に収納された前記商品を一つずつ通過可能な取入口を備え、該取入口を通過した前記商品を一列で導く導入部と、
前記導入部に回動可能に支持され、予め設定された回動量で回動操作がなされる度に、前記導入部によって導かれた前記商品を取出口へと一つずつ送り込む操作部と、を備え、
前記操作部は、
前記ケース本体の前面側に軸線方向の前端部が露出するハンドル本体と、
前記ハンドル本体の軸線方向の後端部に設けられるとともに、少なくとも一部が前記収納庫内に露出し、前記ハンドル本体と共に回動することで前記収納庫に収納された複数の商品を撹拌可能な回転羽根と、を備え、
前記回転羽根は、
回動中心から放射方向に延びる複数の羽根本体を備え、該羽根本体は、前記取入口の一部を遮る回動軌跡を有し、前記回動中心回りに回動することで、前記取入口を遮る状態と前記取入口を遮らない状態とを繰り返すと同時に、前記収納庫の内部に収納されている前記商品を撹拌する商品排出装置。
【請求項２】
前記収納庫は、前記取入口に向かって下り傾斜となる底壁を有する請求項１に記載の商品排出装置。
【請求項３】
前記導入部は、
前記ハンドル本体を、その軸線方向に離間した少なくとも２カ所で回動可能に支持する円形の孔によって形成された支持部を有し、
前記ハンドル本体は、前記支持部によって支持される被支持部の断面輪郭が六角形状である請求項１又は２に記載の商品排出装置。
【請求項４】
前記ハンドル本体は、
前記導入部によって導かれた一つの前記商品を収納可能な凹部を備える請求項１から３の何れか一項に記載の商品排出装置。
【請求項５】
前記商品が積み上がることを防止する防止板を前記取入口の上方に備える請求項１から４の何れか一項に記載の商品排出装置。
【発明の詳細な説明】
【技術分野】
【０００１】
この発明は、商品排出装置に関するものである。
【背景技術】
【０００２】
玩具が収納された球状のカプセル等を商品として排出する商品排出装置において、コイン投入口から規定の硬貨が投入されハンドルが回動操作されると取出口に一つの商品を排出するものが知られている。
一方で、硬貨の投入を不要とする前提で、ケースや内部機構を全てダンボールや硬質樹脂製としてコストを下げることが行われている（例えば、特許文献１参照）。
この特許文献１に記載の装置は、引き出し操作可能な引き出し部を前面パネルの略中央に備えている。この引き出し部を利用者が一回引き出し操作することで、一個の景品が取出し口に供給されるようになっている。
このような商品排出装置は、商品代金を収受しなくてもよい景品の取出し装置として主に用いられている。また、上記商品代金を収受しない商品排出装置の利用方法としては、例えば、店舗のレジ付近に設置し、商品代金をレジにて収受する場合も考えられる。
【先行技術文献】
【特許文献】
【０００３】
【特許文献１】実用新案登録第３１１３８５６号公報
【発明の概要】
【発明が解決しようとする課題】
【０００４】
元来、玩具の入ったカプセルを商品とする商品排出装置は、硬貨を投入した後にハンドルの回動操作を行うことで取出口に商品を排出する形態となっている。そのため、上記特許文献１に記載の装置のように、簡易な構成としながら、ハンドルを回動式とした商品排出装置が望まれている。
また、玩具の入ったカプセルを商品とする商品排出装置においては、何が出てくるか分からないという状態を演出するべく、装置内部に収納された商品をハンドルの回動操作に伴ってシャッフルする機能を設けることが望まれている。
簡易型のシャッフル機能としては、例えば、ハンドルの回動によって収納庫の底壁を上下動させる方式が考えられる。この方式は、収納される商品が少数の場合にシャッフルと、カプセルの詰まりを防止できる点で有利である。しかし、この方式の場合、ハンドル操作によって全てのカプセルを一旦持ち上げる必要があり、商品の個数が多数の場合には、ハンドルの操作荷重が大きくなり過ぎてしまう。そのため、子供による操作が困難になる場合があり、さらには、シャッフル機構の耐久性が低下してしまう場合があるという課題がある。
【０００５】
この発明は、上記事情に鑑みてなされたものであり、回転式のハンドルと商品のシャッフル機能とを具備しつつ、ハンドルの操作荷重の増加を防止するとともに、簡易な構成で耐久性を向上することができる商品排出装置を提供するものである。
【課題を解決するための手段】
【０００６】
上記の課題を解決するために、この発明は以下の構成を備える。
この発明に係る商品排出装置は、球状の商品を排出する商品排出装置であって、ケース本体と、該ケース本体の内部に設けられ商品を複数収納可能な収納庫と、該収納庫に隣接して配されるとともに、前記収納庫に収納された前記商品を一つずつ通過可能な取入口を備え、該取入口を通過した前記商品を一列で導く導入部と、前記導入部に回動可能に支持され、予め設定された回動量で回動操作がなされる度に、前記導入部によって導かれた前記商品を取出口へと一つずつ送り込む操作部と、を備え、前記操作部は、前記ケース本体の前面側に軸線方向の前端部が露出するハンドル本体と、前記ハンドル本体の軸線方向の後端部に設けられるとともに、少なくとも一部が前記収納庫内に露出し、前記ハンドル本体と共に回動することで前記収納庫に収納された複数の商品を撹拌可能な回転羽根と、を備え、前記回転羽根は、回動中心から放射方向に延びる複数の羽根本体を備え、該羽根本体は、前記取入口の一部を遮る回動軌跡を有し、前記回動中心回りに回動することで、前記取入口を遮る状態と前記取入口を遮らない状態とを繰り返すと同時に、前記収納庫の内部に収納されている前記商品を撹拌する。
このように構成することで、操作部のハンドル本体が、予め設定された回動量で回動操作されると、導入部の取入口から一列で導かれた先頭の一つの商品が取出し口に排出される。この際、ハンドル本体の後端部に設けられて収納庫の内部に露出する回転羽根が、ハンドル本体と共に回動するので、取入口よりも収納庫側の商品全体を持ち上げることなく、取入口を通過していない商品のシャッフルを行うことができる。その結果、回転式の操作部と商品のシャッフル機能とを具備しつつ、操作部の操作荷重の増加を防止するとともに、簡易な構成で耐久性を向上することが可能となる。
また、回動中心から放射方向に延びる複数の羽根により、ハンドル本体が軸方向の例えば前方へ変位することを規制できる。また、羽根本体の回動軌跡が、取入口の一部を遮るため、取入口に入ろうとした複数の商品の押圧力が均衡して互いに移動できなくなる均衡状態になったとしても、回転羽根によって取入口における商品の均衡状態を崩すことができる。その結果、商品をシャッフルしつつ、取入口に対して商品を円滑に通過させることができる。
【０００８】
さらに、この発明に係る商品排出装置は、上記商品排出装置における前記収納庫が、前記取入口に向かって下り傾斜となる底壁を有していてもよい。
このように構成することで、商品の自重により、収納庫に収納されている商品を、取入口側に移動させることができる。その結果、簡単な構成で商品を導入部内に取り入れることができる。
【０００９】
さらに、この発明に係る商品排出装置は、上記商品排出装置の前記導入部が、前記ハンドル本体を、その軸線方向に離間した少なくとも２カ所で回動可能に支持する円形の孔によって形成された支持部を有し、前記ハンドル本体は、前記支持部によって支持される被支持部の断面輪郭が六角形状であっても良い。
このように構成することで、ハンドル本体が少なくとも２カ所で支持されるため、１カ所で支持する場合よりも、支持部に掛かる荷重を分散することができる。その結果、耐久性の向上を図ることができる。
さらに、被支持部の断面輪郭を六角形状とすることで、被支持部を円形にする場合よりも、容易に形成することができる。また、上記六角形状により、被支持部と支持部との接触面積を低減しつつ、ハンドル本体の荷重を分散させることができる。その結果、ハンドル本体を円滑に回転させることができるため、より小さな力で容易に操作部を回動操作することができる。
【００１０】
さらに、この発明に係る商品排出装置は、上記商品排出装置の前記ハンドル本体が、前記導入部によって導かれた一つの前記商品を収納可能な凹部を備えていてもよい。
このように構成することで、導入部により導かれた一つの商品が凹部に収納された状態で、ハンドル本体が回動されると、凹部の向きが変化して、例えば、下方に取出口がある場合には凹部が下向きになった時に商品の自重により落下して、凹部内の商品を取出口に向けて移動させることができる。その結果、より確実に商品を取出口へと送り込むことができるため、操作部の信頼性を向上できる。
【００１１】
さらに、この発明に係る商品排出装置は、上記商品排出装置において、前記商品が積み上がることを防止する防止板を前記取入口の上方に備えていてもよい。
このように構成することで、取入口の周辺において上方に商品が積みあがることを防止できる。その結果、収納庫の商品を取入口から導入部内へより円滑に導入することができる。また、取入口の一部を遮るように回転羽根が設けられている場合、回転羽根により動かす商品数を少なくできるため、操作部の操作荷重をより小さくできる。
【発明の効果】
【００１２】
この発明に係る商品排出装置によれば、回転式のハンドルと商品のシャッフル機能とを具備しつつ、ハンドルの操作荷重の増加を防止するとともに、簡易な構成で耐久性を向上することが可能となる。
【図面の簡単な説明】
【００１３】
【図１】この発明の実施形態における商品排出装置を左前面側から見た斜視図である。
【図２】上記商品排出装置を右背面側から見た斜視図である。
【図３】上記商品排出装置の左背面側から見た透過斜視図である。
【図４】上記商品排出装置の導入部の分解斜視図である。
【図５】上記商品排出装置の操作部の斜視図である。
【図６】上記操作部が装着された導入部を背面側から見た斜視図である。
【図７】上記操作部が装着された導入部を前面側から見た斜視図である。
【図８】上記導入部を上方から見た斜視図である。
【図９】上記操作部が装着された導入部の背面図である。
【図１０】小カプセルを用いる場合の図４に相当する分解斜視図である。
【図１１】小カプセルを用いる場合の図７に相当する斜視図である。
【図１２】小カプセル用の操作部における図５に相当する斜視図である。
【図１３】小カプセルを用いる場合の図８に相当する斜視図である。
【図１４】小カプセルを用いる場合の図９に相当する背面図である。
【発明を実施するための形態】
【００１４】
次に、この発明の一実施形態における商品排出装置を図面に基づき説明する。
この実施形態における商品排出装置１は、複数の商品を収納して、これら商品を順次排出する装置である。この実施形態における商品は、玩具の入った球状のカプセルである。カプセルの内部には、予め複数種用意された玩具のうち、一つの玩具がランダムに収納されている。
一般に、玩具の入った球状のカプセルは、様々な大きさのものが存在している。しかし、一つの商品排出装置１に同時に収納される各カプセルの大きさは、それぞれ同一となるように運用される。
【００１５】
図１は、この実施形態における商品排出装置１を前面側から見た斜視図、図２は、同じ商品排出装置１を背面側から見た斜視図である。
図１，図２に示すように、この実施形態における商品排出装置１は、ケース本体２を備えている。ケース本体２は、上下方向に長い中空の直方体状に形成されている。このケース本体２は、前面パネル３、背面パネル４、左側面パネル５、右側面パネル６、天面パネル７、および、底面パネル（図示せず）を備えている。
【００１６】
図１に示すように、前面パネル３には、高さ方向の中央よりも下側に、ハンドルを支持する前部支持部８が形成されている。前部支持部８は、後述するハンドル本体３２の外径よりも僅かに大きい円形の孔であり、すべり軸受けとして機能する。この前部支持部８には、ハンドル本体３２の前端部３４が内側から挿通されて外部に露出している。前面パネル３には、前部支持部８の下方に取出口９が形成されている。この取出口９は、カプセルＣ（図３参照）をケース本体２の外部に排出するために、利用が想定される最も大型のカプセルＣよりも僅かに大きく形成されている。取出口９の前方には、カプセルＣ用の受け皿１０が配されている。受け皿１０は、その前面パネル３側の端部が前面パネル３に形成された切り込みに差し込まれて係止されることで前面パネル３に固定されている。また、前面パネル３には、カプセルＣに収納された玩具のパンフレットを配置可能な配置スペース１１（図１中、破線の四角形で示す）が設けられている。
【００１７】
図１、図２に示すように、左側面パネル５、および、右側面パネル６は、前面パネル３から垂直に背面側に延びている。これら左側面パネル５、および、右側面パネル６は、それぞれケース本体２の内部に収容されたカプセルＣを視認可能とするのぞき孔１２，１３を有している。左側面パネル５ののぞき孔１２と、右側面パネル６ののぞき孔１３とは、左右対称な形状で形成されている。より具体的には、各のぞき孔１２，１３は、四隅が丸められた概略四角形状とされ、上側辺１４は水平方向に延び、前側辺１５および後側辺１６は鉛直方向に延び、下側辺１７は前側下方に向かって傾斜している。つまり、のぞき孔１２，１３は、前方に向かって徐々に上下寸法が広がるように形成されている。
【００１８】
図２に示すように、背面パネル４は、左側面パネル５と右側面パネル６との後側縁５ａ，６ａ同士を繋いでいる。この背面パネル４は、上述した前面パネル３と平行に配されており、その上部に、のぞき孔１８が形成されている。背面パネル４ののぞき孔１８は、上述した左側面パネル５と右側面パネル６とに形成された各のぞき孔１２，１３と同様に四隅が丸められた概略四角形状とされている。背面パネル４ののぞき孔１８は、その上側辺１９が水平方向に延び、右側辺２０および左側辺２１が鉛直方向に延びている。背面パネル４のぞき孔１８の下側辺２２は、左側下方に向かって傾斜している。つまり、背面パネル４ののぞき孔１８は、左側（図２における右側）に向かって徐々に上下寸法が広がるように形成されている。また、のぞき孔１２，１３，１８の各下側辺は、後述するストック部２８の上壁７９（収納庫３０の底壁）の傾斜に沿うように形成されている。そして、これらのぞき孔１２，１３，１８はそれぞれ、透明な板や透明なシートにより閉塞されている。透明な板や透明なシートの材料としては、ポリエチレンテレフタレート（ＰＥＴ）を用いることが好ましい。この実施形態においては、のぞき孔１２，１３，１８を閉塞する部材以外は、全てダンボールにより形成されている。
【００１９】
天面パネル７は、前面パネル３、背面パネル４、左側面パネル５、および、右側面パネル６によって構成される筒状体の上部開口部２３を閉塞可能に取り付けられている。この天面パネル７は、四角形の板状に形成されている。天面パネル７は、その前縁部２４が前面パネル３の上端縁２５（図１参照）に接続され、前面パネル３に揺動可能に支持されている。また、天面パネル７は、背面パネル４側の後縁部２６に、背面パネル４の上部に回り込むように配置可能なロックタブ２７を有している。ロックタブ２７は、面ファスナー（図示せず）を介して背面パネル４に着脱可能となっている。このロックタブ２７および面ファスナーにより、天面パネル７の意図しない開放が防止されている。
【００２０】
図３に示すように、商品排出装置１は、ケース本体２の内部に、ストック部２８と、導入部２９とを備えている。これらストック部２８と導入部２９とは、ケース本体２の上部開口部２３から上下方向に挿抜可能となっている。ストック部２８は背面パネル４の内側面に当接して配置され、導入部２９は前面パネル３の内側面に当接して配置されている。また、これら導入部２９とストック部２８とが互いに当接して配置される。ケース本体２の内部には、ストック部２８の上方に、複数のカプセルＣを収納する収納庫３０が配されている。収納庫３０は、背面パネル、左側面パネル５、右側面パネル６、ストック部２８、および、導入部２９によって画成されている。
【００２１】
導入部２９は、収納庫３０に収納されたカプセルＣを一つずつ前面パネル３側に形成された取出口９に排出する通路を形成する。
図４に示すように、導入部２９には、背面側から操作部３１が取り付けられている。操作部３１は、ハンドル本体３２と回転羽根３３とを備えている。ハンドル本体３２のハンドル本体３２は、ケース本体２の前面パネル３側にその軸線方向の前端部３４が露出するように、導入部２９に取り付けられている（図１参照）。
【００２２】
図５に示すように、この実施形態におけるハンドル本体３２は、その軸線方向の前部３５および後部３６の断面輪郭が六角形状とされており、その間に、カプセルＣを収容する凹部３７が形成されている。この凹部３７には、凹部３７が上方に向いて開口した状態のときに導入部２９の通路内にあるカプセルＣが自重により一つだけ収容されるようになっている。更にその状態から、ハンドル本体３２が上下１８０度回転して凹部３７が下方を向くことで、凹部３７内のカプセルＣが下方に落下して取出口９から外部に排出される。なお、ハンドル本体３２は、一つのカプセルＣを排出させる際には、３６０度回動させるようになっている。
【００２３】
図４、図６、図７に示すように、導入部２９は、導入部本体３８と、ガイドユニット３９とを備えている。
導入部本体３８は、導入部２９の躯体であり、柱状部４０と、通路形成部４１（図７参照）と、を備えている。これら柱状部４０と、通路形成部４１とは、一つの後壁４２（図４参照）により接続されている。
【００２４】
後壁４２は、ケース本体２の前面パネル３および背面パネル４と平行に配され、ケース本体２の左側面パネル５と右側面パネル６との間、および、天面パネル７と底面パネルとの間にそれぞれ渡るように配されている。すなわち、後壁４２は、ケース本体２内部の空間を前後に区切っている。この後壁４２には、取入口４３と、後部支持部４４とが形成されている。
【００２５】
取入口４３は、収納庫３０に収納されたカプセルＣを一つずつ通過させる孔である。この取入口４３は、導入部本体３８の後壁４２において、導入部２９の高さ方向の中央位置で、かつ、左側の縁部４５に隣接する位置に形成されている。
【００２６】
図４に示すように、後部支持部４４は、操作部３１のハンドル本体３２を回動可能に支持するすべり軸受けとして機能する円形の孔である。この後部支持部４４は、取入口４３よりも下方の左右中央位置に配されている。後部支持部４４の直径は、ハンドル本体３２の外形よりも僅かに大きな径で形成されている。この後部支持部４４と、上述した前面パネル３の前部支持部８とによって、この実施形態における支持部４６が形成されている。つまり、ハンドル本体３２の前部３５を前部支持部８が回動自在に支持し、前部３５から軸線方向に離間したハンドル本体３２の後部３６を後部支持部４４が回動自在に支持している。
【００２７】
柱状部４０は、導入部２９において、左右方向で取入口４３の位置とは反対側となる右側に配され上下方向に延びている。柱状部４０は、右側壁４７と、左側壁４８と、前側壁４９とを備えている。右側壁４７は、後壁４２の右側縁５０から垂直に前方に延びている。左側壁４８は、左右方向における後壁４２の中央部から垂直に前方に延びている。また、前側壁４９は、図７に示すように、右側壁４７の前縁５１と、左側壁４８の前縁５２とに渡るように配されている。柱状部４０は、これら右側壁４７、左側壁４８、および、前側壁４９と、上記後壁４２の右側の一部とによって中空な四角筒状に形成されている。
【００２８】
左側壁４８は、操作部３１のハンドル本体３２よりも所定距離だけ上方の位置で柱状部４０の断面積が変化するように有段成形されている。より具体的には、上記操作部３１のハンドル本体３２から所定距離Ｌ１だけ上方の位置を境にして、下部５３の断面積が、上部５４の断面積よりも小さく形成されている。つまり、柱状部４０の下部５３は、操作部３１のハンドル本体３２を避けるように形成され、左側壁４８の上記有段成形された部分が、カプセルＣが通る通路のうち、ハンドル本体３２上方の上壁の一部を形成している。この左側壁４８によって、凹部３７に収納されたカプセルＣの上方に、次のカプセルＣが積み重ならないようになっている。ここで、上記所定距離Ｌ１は、カプセルＣがハンドル本体３２の凹部３７へ一個だけ移動可能とするために、例えば、上方を向いた凹部３７の底部と左側壁４８の有段形成された部分との距離がカプセルＣの直径の２倍の距離よりも短くなり、かつ、ハンドル本体３２に左側壁４８が干渉しない距離とされる。
【００２９】
通路形成部４１は、取入口４３を通過したカプセルＣを取出口９へと導く通路を形成する。通路形成部４１は、柱状部４０の左側に配されている。この通路形成部４１は、左側壁５５と、右傾斜壁５６と、縦壁５７と、前側壁５８と、前傾斜壁５９と、を備えている。
左側壁５５は、後壁４２の左側の縁部４５から垂直前方に延びている。また、左側壁５５は、後壁４２の上端から下端に渡る全範囲に形成されている。
【００３０】
右傾斜壁５６は、取入口４３を通過したカプセルＣを右側に移動させる傾斜壁である。右傾斜壁５６は、取入口４３から所定距離Ｌ２だけ下方に配され、右下方のハンドル本体３２に向かって傾斜している。ここで、所定距離Ｌ２とは、利用が想定される最も小さいカプセルＣの直径よりも短い距離である。
縦壁５７は、上述した柱状部４０の下部５３の左側壁４８との間に通路を形成するための壁である。縦壁５７は、右傾斜壁５６の右端部６０から下方に向けて延び、左側壁５５と所定の間隔Ｌ３をあけて平行に配されている。ここで、所定の間隔Ｌ３とは、利用が想定される最も大きなカプセルＣの直径よりも僅かに大きい間隔であり、かつ、ハンドル本体３２の外形よりも大きい間隔である。
【００３１】
前側壁５８は、通路形成部４１の下部における強度を確保するための壁である。前側壁５８は、左側壁５５の前側縁６１と、縦壁５７の前側縁６２とに渡るように形成され、後壁４２と平行に配されている。
前傾斜壁５９は、上方から落下してきたカプセルＣを前方に向かうようにするための壁である。前傾斜壁５９は、背面側から前面側に向かって下るように傾斜しており、取出口９の背面側に配されている。
【００３２】
図４、図７に示すように、通路形成部４１は、その上部に、ガイドユニット３９を取り付けるためのガイドユニット取付部６３が形成されている。ガイドユニット取付部６３は、上述した柱状部４０の左側壁４８と、後壁４２のうち左側の一部と、上記後壁４２の左側の縁部４５から延びる左側壁５５とによって凹状に形成されている。ガイドユニット取付部６３は、後壁４２の右側と左側との対称位置にそれぞれ上下方向に延びるスリット６４，６５を備えている。
【００３３】
ガイドユニット３９は、取入口４３を通過したカプセルＣが右傾斜壁５６の上方で積みあがらないようにする上押え壁６６を備えている。この上押え壁６６は、上記右傾斜壁５６の上方に配置され、右傾斜壁５６と平行に配されている。上押え壁６６は、右傾斜壁５６との上下方向の距離Ｌ４が、カプセルＣの直径の１．５倍よりも短い距離となっている。
【００３４】
さらにガイドユニット３９は、上述した柱状部４０の左側壁４８、後壁４２とそれぞれ対向する右側壁６７、および、後側壁６８を備えている。右側壁６７は、後側壁６８の右側の縁部６９から前方に向かって垂直に延びている。これら右側壁６７、および、後側壁６８によって、ガイドユニット取付部６３に対して左右方向の位置決めがなされるようになっている。また、ガイドユニット３９の後側壁６８には、上述したスリット６４と重なる位置に、スリット６４と同様のユニット側スリット７０が形成されている。また、ガイドユニット３９は、図４、図８に示すように、取入口４３を通過したカプセルＣをハンドル本体３２側へ円滑に導くために、左前側の角部を面取りするように傾斜壁７１を配している。更にガイドユニット３９は、前面パネルに平行な前側壁７２を備えている。なお、図７においては、図示都合上、傾斜壁７１および前側壁７２の図示を省略している。
【００３５】
図３、図４に示すように、ガイドユニット取付部６３には、その背面側の上記取入口４３の上方に、重なり防止プレート７３が取り付けられている。この重なり防止プレート７３は、左右両側に係止片７４，７５を有している。これら係止片７４，７５は、前方に向かって延びた後に下方に向かって垂直に曲がるように形成されている。これら係止片７４，７５は、上述したスリット６４，６５に貫通させて下方にスライドさせることで、後壁４２に係止される。この構成により重なり防止プレート７３が後壁４２に取り付けられている。またこの際、上述した後壁４２のスリット６４と、ガイドユニット３９のユニット側スリット７０とを重ねた状態にすることで、係止片７５を、２つのスリット６４，７０にそれぞれ貫通させて下方にスライドすることができ、これによりガイドユニット３９が、ガイドユニット取付部６３から剥離する方向へ変位することを防止できる。
【００３６】
図３に示すように重なり防止プレート７３は、左側面パネル５と平行な側壁部７６と、この側壁部７６の後端から後壁４２の右側のスリット６４まで延びる傾斜壁７７とを備えている。重なり防止プレート７３の下端部７８は、取入口４３の直上に配され、収納庫３０側における取入口４３の近傍で、カプセルＣの上方への積み重なりが生じることを防止している。また、傾斜壁７７を備えていることで、カプセルＣが重なり防止プレート７３に引っ掛かることを防止し、これにより右から左へ向かってカプセルＣが円滑に移動可能となっている。
【００３７】
ストック部２８は、中空の箱状に形成され、その上壁７９が収納庫３０の底壁を構成している。このストック部２８の上壁７９は、上述した取入口４３の下縁８０に向かって下るように傾斜している。つまり、上壁７９は、背面パネル４側から前面パネル３側に向かって下るとともに、右側から左側に向かって下る傾斜となっている。さらに、ストック部２８は、それぞれ背面パネル４に対して平行な後壁８１と、左側面パネル５に平行な左壁８２と、右側面パネル６に平行な右壁（図示せず）と、前面パネル３に平行な前壁（図示せず）と、を備えている。ストック部２８は、上壁７９の下方の空間が収納スペースを形成している。
【００３８】
図５に示すように、操作部３１は、ハンドル本体３２の軸線方向の後端部８３に回転羽根３３を備えている。この回転羽根３３は、ハンドル本体３２と共に回動され、この回動により収納庫３０に収納されたカプセルＣを撹拌可能となっている。回転羽根３３は、ハンドル本体３２の回動中心から放射方向に延びる複数、より具体的には４つの羽根本体８４を備えている。
【００３９】
図６に示すように、これら羽根本体８４は、導入部２９およびストック部２８の間に設けられた僅かな隙間Ｇから収納庫３０内に露出するようになっている。ここで、上記導入部２９およびストック部２８の間に設けられる僅かな隙間Ｇは、図４に示すように導入部２９の後壁４２の下部に設けられたスペーサ８５により形成されている。このスペーサ８５は、回転羽根３３との接触を避けるために、回転羽根３３の最外周部の回転軌跡の直径よりも僅かに大径な半円形の凹部８６を有している。また、スペーサ８５は、回転羽根３３よりも僅かに厚く形成されている。
【００４０】
回転羽根３３は、収納庫３０に収納されたカプセルＣが、取入口４３の周囲で、互いに接触するカプセルＣ同士の押す力が拮抗するなどして動かなくなった場合に、これらカプセルＣに力を加えて拮抗状態を解除することが可能となっている。
【００４１】
図９に示すように、羽根本体８４は、取入口４３の一部を遮る回転軌跡を有している。これら羽根本体８４は、軸方向から見て最外周に形成されて周方向に延びる外周辺８７と、外周辺８７の回転方向後側に形成されて取入口４３よりも僅かに大径な円弧状の凹部８８と、凹部８８からその回転方向後側に配された羽根本体８４の外周辺８７に略直線状に接続される接続辺８９とを備えている。凹部８８は、外周辺８７に近づくにつれて、径方向に向かって徐々に立ち上がる円弧上に形成されている。また、上記接続辺８９は、ハンドル本体３２が回動操作された場合に、上記取入口４３を下方から横切るようになっている。接続辺８９は、取入口４３を横切る際に、取入口４３の中心Ｃ１と回転羽根３３の回転中心Ｃ２とを結んだ直線よりも回転方向後側に傾くように形成されている。
【００４２】
これにより、羽根本体８４の接続辺８９により押されたカプセルＣの移動方向が、羽根本体８４の回動方向と一致しない。その結果、カプセルＣが取入口４３の内周縁９０と接続辺８９との間に挟まれてハンドル本体３２の回動が阻害されることを抑制できる。また、羽根本体８４に円弧状の凹部８８が形成されていることで、ハンドル本体３２が回動されているときに、回転羽根３３によって取入口４３が遮られない状態を作り出すことができる。そのため、取入口４３が遮られない状態の時に、収納庫３０のカプセルＣを取入口４３から導入部２９の内部へと円滑に取り入れることができる。この取入口４３が遮られない状態は、ハンドル本体３２の凹部３７が上方を向いたときに作り出されることが好ましい。なお、この実施形態のハンドル本体３２は、反時計回りへの回動操作が規制されていないが、ハンドル本体３２を反時計回りに回動操作した場合、円弧状の凹部８８と取入口４３との間にカプセルＣが挟まれやすくなるため、実質的に回動操作が規制されるような状態となる。
【００４３】
この実施形態における操作部３１、ガイドユニット３９、および、重なり防止プレート７３は、それぞれ２種類の大きさのカプセルＣ（以下、大カプセルＣと小カプセルＣと称する）に対応するものがそれぞれ予め用意されている。そして、上述した操作部３１、ガイドユニット３９、および、重なり防止プレート７３は、それぞれ大カプセルＣ用を一例に説明した。小カプセルＣ用のガイドユニット１３９、および、小カプセルＣ用の重なり防止プレート１７３は、カプセルＣの積み重なりや、カプセルＣを一列で導くことができないなどの不具合が生じないように形成されている。なお、大カプセルＣ用と小カプセルＣ用とのうち、使用されていない方の操作部３１（１３１）、ガイドユニット３９（１３９）、および、重なり防止プレート７３（１７３）は、ストック部２８の収納スペースに収納され、必要に応じて交換可能となっている。
【００４４】
以下、図１０から図１４を参照し、小カプセルＣ用の操作部１３１、小カプセルＣ用のガイドユニット１３９、および、小カプセルＣ用の重なり防止プレート１７３について説明する。なお、上述した大カプセルＣ用の操作部３１、大カプセルＣ用のガイドユニット３９、および、大カプセルＣ用の重なり防止プレート７３と同一部分には同一符号を付して説明するとともに、重複説明を省略する。
図１０、図１２に示すように、小カプセルＣ用の操作部１３１は、ハンドル本体３２の凹部１３７が、小カプセルＣを一つだけ収納可能なように、大カプセルＣ用の凹部３７よりも小さく形成されている。このようにすることで、凹部１３７には、２つの小カプセルＣが同時に収納されることを防止している。この小カプセルＣ用の操作部１３１は、凹部１３７の構成が異なるだけで、その他の構成は上述した大カプセルＣ用の凹部３７と同様である。
【００４５】
図１０に示すように、小カプセルＣ用のガイドユニット１３９は、導入部本体３８の取入口４３の直径を実質的に小さくするための小カプセル孔部１４３を備えている。この小カプセル孔部１４３が取入口４３と重ねて配置されることで、取入口４３を通過できるカプセルが小カプセルに限定されるようになる。また、図１３に示すように、小カプセルＣ用のガイドユニット１３９は、取入口４３とハンドル本体３２との間の通路の横幅を小カプセルＣに合わせて小さくするために、一対の側壁部９１，９２を備えている。これら側壁部９１，９２は、ハンドル本体３２側に向かって徐々にその間隔が小さくなるように配され、取付壁部９３を介して右側壁６７に固定されている。
【００４６】
図１１に示すように、小カプセルＣ用のガイドユニット１３９は、小カプセルＣの直径に対応した高さに配される小カプセルＣ用の上押え壁１６６を備えている。この小カプセルＣ用の上押え壁１６６は、小カプセル孔部１４３の直上からハンドル本体３２側に向かって延びるとともに、右傾斜壁５６と平行になるように傾斜して配されている。
【００４７】
図１４に示すように、小カプセルＣ用の重なり防止プレート１７３は、大カプセルＣ用の重なり防止プレート７３よりも下方に長く形成されている。より具体的には、小カプセルＣ用の重なり防止プレート７３の下端部７８は、取入口４３の上縁よりも下方で且つ、小カプセル孔部１４３の上縁のよりも上の位置であり、回転羽根３３と干渉しない高さ位置に配置されている。小カプセル孔部１４３は、取入口４３の左下側（図１４の右下側）に位置するようになっている。そして、羽根本体８４は、小カプセル孔部１４３の一部を遮る回転軌跡となっている。さらに、回転羽根３３の接続辺８９は、小カプセル孔部１４３を遮る際に、小カプセル孔部１４３の中心Ｃ３と回転羽根３３の回転中心Ｃ２とを結ぶ直線よりも回転方向後側に傾くように形成されている。
【００４８】
この実施形態における商品排出装置１は、上述した構成を備えている。次に、この商品排出装置１の動作について説明する。
まず、ロックタブ２７による係止状態を解除して天面パネル７を開放する。次いで、収納庫３０の内部に収納するカプセルＣの大きさに応じて、操作部３１、ガイドユニット３９、および、重なり防止プレート７３の組み合わせ、または、操作部１３１、ガイドユニット１３９、および、重なり防止プレート１７３の組み合わせをセットする。大カプセルＣを一例にした場合、導入部本体３８に対してガイドユニット３９を取り付けて、重なり防止プレート７３を導入部本体３８およびガイドユニット３９に係止させる。これにより、ガイドユニット３９が導入部本体３８に取り付けられる。この状態で導入部２９をケース本体２に挿入する。
【００４９】
さらに、ケース本体２に挿入された導入部２９に対して操作部３１を取り付ける。具体的には、ハンドル本体３２を後部支持部４４側から挿通させて、回転羽根３３を導入部２９の後壁４２に密着させる。この回転羽根３３が操作部３１の前面パネル３側への抜け止めとなる。これにより、ハンドル本体３２が、前面パネル３の前部支持部８と、後壁４２の後部支持部４４との２箇所で回動可能に支持されることとなる。なお、ガイドユニット３９は、導入部本体３８をケース本体２に挿入した後に、導入部本体３８に取り付けるようにしても良い。
【００５０】
次に、ストック部２８をケース本体２の内部に挿入する。これにより、ケース本体２の内部に収納庫３０が形成される。そして、複数のカプセルＣを収納庫３０に収納して天面パネル７により収納庫３０を閉塞する。収納庫３０内のカプセルＣは、ストック部２８の上壁７９の傾斜によって取入口４３側へ移動しようとする。
ハンドル本体３２を回動操作して、羽根本体８４が取入口４３を遮らない位置に配置されると、カプセルＣが自重によって取入口４３から導入部２９の内部へと転がり込む。ハンドル本体３２の凹部３７がカプセルＣを収納可能な向き（上方）を向いている場合には、先頭のカプセルＣがハンドル本体３２の凹部３７に収納されて、それに続く複数のカプセルＣが取入口４３まで一列で並んだ状態となる。ハンドル本体３２の凹部３７がカプセルＣを収納可能な上向き状態ではない場合、先頭のカプセルＣは、ハンドル本体３２の外周面に当接し、それに続く複数のカプセルＣが取入口４３まで一列で並んだ状態となる。
【００５１】
次いで、ハンドル本体３２の前端部３４を時計回りに回動させると、凹部３７が軸線回りに回転して凹部３７が下方を向く状態となる。凹部３７が下方を向くと、凹部３７に収納されているカプセルＣが、下方に落下して前傾斜壁５９に衝突する。前傾斜壁５９に衝突したカプセルＣは、移動方向を前方に変えて取出口９からケース本体２の外部に排出されることとなる。
【００５２】
また、ハンドル本体３２を時計回りに回動させた際に、回転羽根３３によって収納庫３０の内部に収納されているカプセルＣがシャッフルされる。そして、取入口４３の手前にある一つのカプセルＣが導入部２９内に転がり込む。
そして、上述した動作がハンドル本体３２の回動に伴い繰り返される。
【００５３】
したがって、上述した実施形態の商品排出装置１によれば、操作部３１のハンドル本体３２が、予め設定された回動量で回動操作されると、導入部２９の取入口４３から一列で導かれた先頭の一つのカプセルＣが取出口９に排出される。この際、ハンドル本体３２の後端部８３に設けられて収納庫３０の内部に露出する回転羽根３３が、ハンドル本体３２と共に回動するので、取入口４３よりも収納庫３０側のカプセルＣ全体を持ち上げることなく、取入口４３を通過していない収納庫３０のカプセルＣのシャッフルを行うことができる。その結果、回転式の操作部３１とカプセルＣのシャッフル機能とを具備しつつ、操作部３１の操作荷重の増加を防止するとともに、簡易な構成で耐久性を向上することが可能となる。
【００５４】
さらに、回転中心Ｃ２から放射方向に延びる複数の羽根本体８４により、ハンドル本体３２の軸方向への変位を規制することができる。また、羽根本体８４の回動軌跡が、取入口４３の一部を遮るため、取入口４３に入ろうとした複数のカプセルＣの力が均衡して移動できなくなったとしても、回転羽根３３によって取入口４３におけるカプセルＣの均衡状態を崩すことができる。その結果、カプセルＣをシャッフルしつつ、取入口４３に対してカプセルＣを円滑に通過させることができる。
【００５５】
さらに、重なり防止プレート７３を備えていることで、取入口４３の周辺において上方にカプセルＣが積みあがることを防止できるため、収納庫３０のカプセルＣを取入口４３から導入部２９内へより円滑に導入することができる。また、取入口４３の一部を遮るように回転羽根３３が設けられている場合、回転羽根３３により動かすカプセルＣ数を少なくできるため、操作部３１の操作荷重をより小さくできる。
【００５６】
さらに、収納庫３０が、取入口４３に向かって下り傾斜となる上壁７９を有していることで、カプセルＣの自重により、収納庫３０に収納されているカプセルＣを、取入口４３側に移動させることができる。その結果、簡単な構成でカプセルＣを導入部２９内に取り入れることができる。
【００５７】
支持部４６によってハンドル本体３２が少なくとも２カ所で支持されるため、１カ所で支持する場合よりも、支持部に掛かる荷重を分散することができる。その結果、耐久性の向上を図ることができる。
さらに、ハンドル本体３２の被支持部である前部３５と後部３６の断面輪郭を六角形状とすることで、板状の材料を折り曲げてハンドル本体３２を形成する場合、被支持部を円形にするよりも容易に形成することができる。また、上記六角形状により、七角形以上や五角形以下の場合と比較して、被支持部と支持部４６との接触面積を適切に低減しつつ、ハンドル本体３２の荷重を適切に分散させることができる。その結果、ハンドル本体３２を円滑に回転させることができるため、より小さな力で容易に操作部３１を回動操作することができる。
【００５８】
さらに、通路形成部４１により導かれた一つのカプセルＣが凹部３７，１３７に収納された状態で、ハンドル本体３２が回動されると、凹部３７，１３７の向きが変化して、凹部３７，１３７が下向きになった時に自重によりカプセルＣが落下して、凹部３７，１３７内のカプセルＣを取出口９に向けて移動させることができる。その結果、より確実にカプセルＣを取出口９へと送り込むことができるため、操作部３１の信頼性を向上できる。
【００５９】
さらに、外径が異なる大カプセルＣ、小カプセルＣの種類毎に設けられたガイドユニット３９，１３９、および、操作部３１，１３１を、カプセルＣの大きさに応じて交換するだけで、外径が異なるカプセルＣをそれぞれ取り扱い可能にすることができるため、汎用性を向上できる。
【００６０】
さらに、導入部本体３８にガイドユニット３９（１３９）を取り付けて、その導入部２９をケース本体２に挿入し、更にケース本体２に挿入された導入部２９に対して操作部３１（１３１）を挿入することで容易に組み立てを行うことができる。また、外径が異なるカプセルＣ毎にガイドユニット３９（１３９）および操作部３１（１３１）が設けられている場合には、導入部２９をケース本体２から引き抜いて、さらに導入部２９から操作部３１（１３１）を引き抜くことで、他のガイドユニット１３９（３９）および他の操作部１３１（３１）に交換することができる。その結果、ガイドユニット３９（１３９）、および、操作部３１（１３１）を容易に交換することができる。
【００６１】
さらに、ストック部２８の上壁７９の下方のスペースを、使用していないガイドユニット３９（１３９）および使用していない操作部３１（１３１）を収納する予備収納庫として利用することができるため、使用していないガイドユニット３９（１３９）および使用していない操作部３１（１３１）を載置するスペースを別に設ける必要が無い。また使用していないガイドユニット３９（１３９）および使用していない操作部３１（１３１）の紛失を防止することができる。
【００６２】
さらに、のぞき孔１２，１３，１８が透明なポリエチレンテレフタレートにより閉塞され、該のぞき孔１２，１３，１８を除きダンボールで形成されていることで、資源ごみであるポリエチレンテレフタレートとダンボールとに分別して廃棄することができる。その結果、容易に廃棄することができる。
【００６３】
なお、この発明は上述した実施形態の構成に限られるものではなく、その要旨を逸脱しない範囲で設計変更可能である。
【００６４】
上述した実施形態においては、玩具が入った球状のカプセルＣを商品として取り扱う場合について説明した。しかし、商品は、球状であればカプセルＣに限られるものではなく、例えば、ボールや球状の食品等を商品としてもよい。また、大カプセルと小カプセルとを一例に説明したが、商品の大きさの種類は、３種類以上であってもよい。
【００６５】
また、ケース本体２、導入部２９、および、操作部３１を形成する材料としてダンボールを用いる場合について説明したが、ダンボールに限られるものではなく、例えば、樹脂の板材から形成しても良い。
【００６６】
更に、透明なポリエチレンテレフタレートによりケース本体２ののぞき孔１２，１３，１８を閉塞する場合について説明したが、ポリエチレンテレフタレート以外の透明な材料を用いても良い。
また、上述した実施形態においては、ハンドル本体３２を、支持部４６によって、その軸線方向に離間した２カ所で回動可能に支持する場合について説明した。しかし、ハンドル本体３２を、軸線方向に離間した少なくとも２カ所で支持していればよく、例えば、ハンドル本体３２を３か所以上で回動可能に支持するようにしても良い。
さらに、回転羽根３３に形成される羽根本体８４の個数は、４つに限られず、例えば、３つ以下や、５つ以上設けても良い。
【符号の説明】
【００６７】
１  商品排出装置
２  ケース本体
３  前面パネル
４  背面パネル
５  左側面パネル
６  右側面パネル
７  天面パネル
８  前部支持部
９  取出口
１０  受け皿
１１  配置スペース
１２  のぞき孔（窓部）
１３  のぞき孔（窓部）
１４  上側辺
１５  前側辺
１６  後側辺
１７  下側辺
１８  のぞき孔（窓部）
１９  上側辺
２０  右側辺
２１  左側辺
２２  下側辺
２３  上部開口部
２４  前縁部
２５  上端縁
２６  後縁部
２７  ロックタブ
２８  ストック部
２９  導入部
３０  収納庫
３１  操作部
３２  ハンドル本体
３３  回転羽根
３４  前端部
３５  前部
３６  後部
３７  凹部
３８  導入部本体
３９  ガイドユニット
４０  柱状部
４１  通路形成部
４２  後壁
４３  取入口
４４  後部支持部
４５  縁部
４６  支持部
４７  右側壁
４８  左側壁
４９  前側壁
５０  右側縁
５１  前縁
５２  前縁
５３  下部
５４  上部
５５  左側壁
５６  右傾斜壁
５７  縦壁
５８  前側壁
５９  前傾斜壁
６０  右端部
６１  前側縁
６２  前側縁
６３  ガイドユニット取付部
６４  スリット
６５  スリット
６６  上押え壁
６７  右側壁
６８  後側壁
６９  縁部
７０  ユニット側スリット
７１  傾斜壁
７２  前側壁
７３  重なり防止プレート（防止板）
７４  係止片
７５  係止片
７６  側壁部
７７  傾斜壁
７８  下端部
７９  上壁（底壁）
８０  下縁
８１  後壁
８２  左壁
８３  後端部
８４  羽根本体
８５  スペーサ
８６  凹部
８７  外周辺
８８  凹部
８９  接続辺
９０  内周縁
９１  側壁部
９２  側壁部
９３  取付壁部
１３１  小カプセル用の操作部
１３７  凹部
１３９  小カプセル用のガイドユニット
１４３  小カプセル孔部
１６６  上押え壁
１７３  小カプセル用の重なり防止プレート
Ｃ  カプセル
【要約】
【課題】回転式のハンドルと商品のシャッフル機能とを具備しつつ、ハンドルの操作荷重の増加を防止するとともに、簡易な構成で耐久性を向上することができる商品排出装置を提供する。
【解決手段】操作部３１が、ケース本体の前面側に軸線方向の前端部３４が露出するハンドル本体３２と、ハンドル本体３２の軸線方向の後端部８３に設けられるとともに、少なくとも一部が収納庫内に露出し、ハンドル本体３２と共に回動することで収納庫に収納された複数の商品を撹拌可能な回転羽根３３と、を備えることを特徴とする。
【選択図】図５【図１】
0005639699.tif 000002
【図２】
0005639699.tif 000003
【図３】
0005639699.tif 000004
【図４】
0005639699.tif 000005
【図５】
0005639699.tif 000006
【図６】
0005639699.tif 000007
【図７】
0005639699.tif 000008
【図８】
0005639699.tif 000009
【図９】
0005639699.tif 000010
【図１０】
0005639699.tif 000011
【図１１】
0005639699.tif 000012
【図１２】
0005639699.tif 000013
【図１３】
0005639699.tif 000014
【図１４】
0005639699.tif 000015